(57)【要約】【課題】  飲料入り容器を傾斜前出し方式の陳列棚上に陳列した際に、各飲料入り容器の回転を規制するものがないので、商品名表示部が何れの方向に向くか不定である。【解決手段】  陳列棚２として、飲料入り容器１が自重で手前側に移動するような傾斜前出し方式で且つ傾斜棚板２１上に棚板傾斜方向に向けて細棒状のガイド凸条２３を設けたものを使用する一方、飲料入り容器１として、容器底部１３における容器外周面１１の商品名表示部１２の直下と容器外周面１１の商品名表示部１２の反対面の直下とを結ぶ位置に、ガイド凸条２３に嵌合する凹状嵌合部１４を形成したものを使用する。そして、商品名表示部１２が手前側に向く姿勢で凹状嵌合部１４をガイド凸条２３に嵌合させた状態で、複数の飲料入り容器を前後に並べて陳列棚２上に陳列することにより、陳列した各飲料入り容器１の商品名表示部１２が常に正面に向く姿勢で維持されるようにしている。【選択図】      図３
2006288676.tif 000002
【特許請求の範囲】
【請求項１】
容器外周面（１１）の周方向の一部に商品名（１２ａ）を表示した商品名表示部（１２）を有する飲料入り容器（１）を、陳列棚（２）上に縦向き姿勢で前後に並べて陳列する方法であって、
前記陳列棚（２）として、飲料入り容器（１）がその自重で手前側に移動するような傾斜棚板（２１）を有し且つ該傾斜棚板（２１）の上面に棚板傾斜方向に向けて細棒状のガイド凸条（２３）を設けたものを使用する一方、
前記飲料入り容器（１）として、容器底部（１３）における容器外周面（１１）の商品名表示部（１２）の直下と容器外周面（１１）の商品名表示部（１２）の反対面の直下とを結ぶ位置に、前記ガイド凸条（２３）に嵌合する凹状嵌合部（１４）を形成したものを使用し、
飲料入り容器（１）の商品名表示部（１２）が手前側に向く姿勢で前記凹状嵌合部（１４）を前記ガイド凸条（２３）に嵌合させた状態で、複数の飲料入り容器（１，１・・）を前後に並べて陳列棚（２）上に陳列する、
ことを特徴とする飲料入り容器の陳列方法。
【発明の詳細な説明】
【技術分野】
【０００１】
本願発明は、缶飲料やペットボトル飲料やガラス瓶飲料等の飲料入り容器の陳列方法に関するものである。
【背景技術】
【０００２】
飲料入り容器として、例えば缶ドリンク類（缶ビール、缶ジュース、缶入り茶等）やペットボトル飲料（茶やジュース類入り）があるが、これらの飲料入り容器は、例えばコンビニ店においては図５〜図７に示すように、保冷庫３内の陳列棚３Ａ上に縦向き姿勢で前後に並べて陳列している。この陳列棚３Ａは、棚板３１の上面を仕切壁３２，３２・・で左右に区画した複数列の陳列レーン３０，３０・・（図６及び図７）を有している。この各陳列レーン３０，３０・・の底面となる棚板３１は、飲料入り容器１Ａがその自重で手前側に移動するような傾斜状態で設置されている。即ち、この陳列棚３Ａは、いわゆる傾斜前出し方式となっている。尚、符号３４は、最前列の飲料入り容器１Ａを停止させるストッパーである。
【０００３】
そして、各陳列レーン３０，３０・・には、それぞれ同種の飲料入り容器１Ａ，１Ａ・・を縦向き姿勢で前後に並べて陳列され、手前側（最前列）の１つの飲料入り容器を抜き取ると、後続の各飲料入り容器が自重で手前側に移動するようになっている。尚、この種の傾斜前出し方式の陳列棚３Ａを採用した保冷庫３として、例えば実用新案登録第３０１４３６０号公報（特許文献１）に示されるものがある。
【０００４】
ところで、この種の飲料入り容器１Ａの外周面には、その周方向の一部に商品名を表示した商品名表示部１２が設けられているが、飲料入り容器１Ａの陳列状態では、商品名表示部１２が手前側（客から見える正面）に向く姿勢で陳列することが望まれている。
【０００５】
【特許文献１】実用新案登録第３０１４３６０号公報
【発明の開示】
【発明が解決しようとする課題】
【０００６】
ところが、各飲料入り容器１Ａ，１Ａ・・を陳列レーン３０上に並べる際に、それぞれ商品名表示部１２が手前側に向く姿勢で置いたとしても、最前列の飲料入り容器１Ａを抜き取ったときに（後続の各飲料入り容器が１つ分だけ手前側に移動する）、後続の各飲料入り容器１Ａ，１Ａの側面が左右何れか一方の仕切壁３２の側面に接触しながら移動するので、そのときの摩擦力で各飲料入り容器が図６の矢印方向に回転し易くなる。特に、容器外周面が円筒形のものであれば、一層回転し易い。
【０００７】
そして、飲料入り容器１Ａが手前側移動時に回転すると、図７に示すように最前列に位置する飲料入り容器１Ａの商品名表示部１２がどの方向に向くか不定となる。例えば、図７においては、中央の飲料入り容器１Ａは商品名表示部１２が正面に向いているが、右側の飲料入り容器１Ａでは商品名表示部１２が背面側に位置しており、左側の飲料入り容器１Ａでは商品名表示部１２が斜め前方に向いている。
【０００８】
このように、客の目につき易い最前列の各飲料入り容器１Ａ，１Ａ・・において、商品名表示部１２の向きがバラバラであると、陳列状態で見栄えが悪くなるとともに、客が商品の種類を確認しにくくなり、延いては客の購買意欲を低下させる原因になる。
【０００９】
そこで、例えばコンビニ店においては、店員が定期的に（頻繁に）保冷庫３の扉を開けて、最前列の各飲料入り容器１Ａ，１Ａ・・の姿勢をそれぞれ商品名表示部１２が正面に向くように修正しているが、このような飲料入り容器の姿勢修正作業には非常に手間がかかる（人件費コストがかかる）という問題があった。
【００１０】
本願発明は、飲料入り容器の陳列状態における上記問題、即ち商品名表示部の向きが定まらないという問題を解決し得るようにした、飲料入り容器の陳列方法を提供することを目的としている。
【課題を解決するための手段】
【００１１】
本願発明は、上記課題を解決するための手段として次の構成を有している。
【００１２】
本願発明は、容器外周面の周方向の一部に商品名を表示した商品名表示部を有する飲料入り容器を、陳列棚上に縦向き姿勢で前後に並べて陳列する方法を対象にしている。尚、本願で使用される飲料入り容器の容器としては、金属缶やペットボトルやガラス瓶等が採用可能である。
【００１３】
この発明（飲料入り容器の陳列方法）では、陳列棚として、飲料入り容器がその自重で手前側に移動するような傾斜棚板を有し且つ該傾斜棚板の上面に棚板傾斜方向に向けて細棒状のガイド凸条を設けたものを使用する一方、飲料入り容器として、容器底部における容器外周面の商品名表示部の直下と容器外周面の商品名表示部の反対面の直下とを結ぶ位置に、傾斜棚板上面のガイド凸条に嵌合する上向き凹状の嵌合部を形成したものを使用する。
【００１４】
そして、この発明の陳列方法は、飲料入り容器の商品名表示部が手前側に向く姿勢で凹状嵌合部をガイド凸条に嵌合させた状態で、複数の飲料入り容器を前後に並べて陳列棚上に陳列するものである。
【００１５】
この発明で使用される陳列棚には、左右に区画した複数の陳列レーンを有しており、各陳列レーン上にはそれぞれ同種の飲料入り容器が複数個ずつ前後に並べて置かれる。尚、最前列の飲料入り容器はストッパーで停止されている。そして、最前列の１つの飲料入り容器を抜き取ると、後続の各飲料入り容器が自重で空になった容器１つ分だけ手前側に移動するようになっている。
【００１６】
ところで、各飲料入り容器を陳列棚（各陳列レーン）上に並べる際に、商品名表示部が手前側に向く姿勢で容器底部の凹状嵌合部を棚板上面のガイド凸条に嵌合させるようにして置くと、各飲料入り容器の姿勢が凹状嵌合部とガイド凸条との嵌合によって規制される（容器外周面の周方向に回転しない）。従って、最前列の飲料入り容器を抜き取ったときに、後続の各飲料入り容器は、その商品名表示部が正面に向いたままで（回転することなく）手前側に移動するようになる。
【発明の効果】
【００１７】
本願発明の陳列方法では、容器外周面の商品名表示部を手前側に向けた姿勢で容器底部の凹状嵌合部を傾斜棚板上のガイド凸条に嵌合させるようにして、各飲料入り容器を傾斜前出し方式の陳列棚上に陳列するようにしているが、この陳列方法では、最前列の飲料入り容器を抜き取っても、後続の各飲料入り容器は常に商品名表示部が手前側（客から見て正面）に向く姿勢に維持される。
【００１８】
従って、本願発明の陳列方法によれば、各飲料入り容器の陳列状態で商品名表示部が常に正面から見えるので見栄えが良好となるとともに、商品名表示部を手前側に向けるという姿勢修正作業が不要になる（その姿勢修正作業のための人件費コストを削減できる）という効果がある。
【実施例】
【００１９】
図１〜図４を参照して本願の実施例を説明すると、図１には容器に金属缶を使用した飲料入り容器１を示し、図２には容器にペットボトルを使用した飲料入り容器１を示している。又、図３及び図４には、図１の飲料入り容器（容器が金属缶）１及び図２の飲料入り容器（容器がペットボトル）１の各陳列状態を示している。
【００２０】
図１の飲料入り容器１は、缶ビール、缶ジュース、缶コーヒー、缶コーラ等の、容器として金属缶を使用したものである。この飲料入り容器１は、容器外周面１１が円筒形である。この容器外周面１１には、周方向の一部に商品名表示部１２が設けられている。この商品名表示部１２には、飲料種類に応じた商品名１２ａ（例えば“〇〇ビール”、“〇〇ジュース”、“〇〇コーヒー”、“〇〇コーラ”等の商品名や商標名）が直接印刷されたり、あるいは商品名１２ａを印刷したシートが貼着されたりしている。
【００２１】
図１の飲料入り容器１では、容器底部１３に若干高さだけ下向きに突出した環状突出部１３ａが形成されている。図１の飲料入り容器１では、上記環状突出部１３ａの高さ範囲は容器内部と連通しない構造となっている。尚、容器底部１３は、容器外周面１１と一体成形されたものや、別部材からなる底部材を容器外周材の下端部にカシメ結合させたものがあるが、本願では何れの形態の容器底部でも採用できる。
【００２２】
容器底部１３の環状突出部１３ａには、容器外周面１１の商品名表示部１２の直下と該容器外周面１１の商品名表示部１２の反対面の直下がそれぞれ対応する位置に、後述する陳列棚のガイド凸条２３（図３、図４）に嵌合する２つの嵌合部１４，１４が形成されている。この各嵌合部１４，１４は、上向き凹状（切欠状）に形成されていて、後述のガイド凸条２３を嵌入させ得る大きさを有している。尚、容器外周面１１に商品名表示部１２を印刷する（又は商品名表示部１２を印刷したシートを貼着する）際には、該商品名表示部１２が一方の凹状嵌合部１４の直上方に位置するように位置決めする。
【００２３】
図２の飲料入り容器１は、容器としてペットボトルを使用したもので、容器外周面１１が円筒形のものを採用している。この容器外周面１１にも、周方向の一部に商品名１２ａを表示した商品名表示部１２が設けられている。
【００２４】
又、図２の飲料入り容器１の容器底部１３には、容器外周面１１の商品名表示部１２の直下と該容器外周面１１の商品名表示部１２の反対面の直下とを結ぶ位置に、後述する陳列棚のガイド凸条２３に嵌合する１本の直線状の嵌合部１４が形成されている。この嵌合部１４も、上向き凹状（切欠状）に形成されていて、上記ガイド凸条２３を嵌入させ得る大きさを有している。この凹状嵌合部１４は、ペットボトル成形時に一体形成される。尚、容器外周面１１に商品名表示部１２を印刷する（又は商品名表示部１２を印刷したシートを貼着する）際には、該商品名表示部１２が凹状嵌合部１４の一端部の直上方に位置するように位置決めする。
【００２５】
尚、本願の他の実施例では、飲料入り容器の容器として、ガラス瓶製のものも採用できる。その場合、ガラス瓶の製造時に、容器底部に凹状嵌合部を形成しておく。
【００２６】
そして、図１及び図２の各飲料入り容器１，１は、図３及び図４に示す陳列棚２上に陳列される。尚、この陳列棚２も、図５に示す保冷庫３内に設置されるものである。
【００２７】
図３及び図４に示す陳列棚２は、傾斜棚板２１の上面を各仕切壁２２，２２・・で左右に区画し、１枚の傾斜棚板２１上に複数の陳列レーン２０，２０・・を形成している。尚、傾斜棚板２１に対する各仕切壁２２，２２の取付け位置は、一般に左右に調整可能となっており、各陳列レーン２０，２０・・の幅を陳列する商品（飲料入り容器）の胴部外径に応じて調整される。
【００２８】
各陳列レーン２０，２０・・は、手前側に下降傾斜しており、陳列レーン２０上に置いた飲料入り容器１が自重で手前側に移動し得るようになっている。各陳列レーン２０，２０・・の手前側端部には、ストッパー２４が設けられており、陳列レーン２０上の最前列の飲料入り容器１がストッパー２４に衝合して位置保持されるようになっている。
【００２９】
各陳列レーン２０，２０・・の底面（傾斜棚板２１の上面）には、陳列レーン幅の中央部に棚板傾斜方向に向けて細棒状のガイド凸条２３が設けられている。このガイド凸条２３は、幅及び高さがそれぞれ２〜３mm程度のものでよい。そして、この実施例では、該ガイド凸条２３を陳列レーン２０の全長に亘って設けている。
【００３０】
そして、図１及び図２の各飲料入り容器１，１は、図３及び図４に示すように、各陳列レーン２０，２０上に同種類のものを複数個ずつ前後に並べて陳列されるが、その陳列時には、それぞれ容器外周面１１の商品名表示部１２が手前側に向く姿勢で、容器底部１３の凹状嵌合部１４をガイド凸条２３に嵌合させるようにして載置していく。
【００３１】
この陳列状態では、各飲料入り容器１，１・・は、容器外周面１１の商品名表示部１２がそれぞれ手前側に向いており、客から飲料入り容器１の商品名１２ａが正面に見える。そして、各陳列レーン２０上の飲料入り容器１，１・・は、最前列のものから購入される（抜き外される）が、最前列の飲料入り容器１を抜き外すと、後続の各飲料入り容器１，１・・がそれぞれ自重で手前側に移動する。そのとき、各飲料入り容器１，１・・は、凹状嵌合部１４がガイド凸条２３に嵌合したままスライドする（周方向に回転しない）ので商品名表示部１２は正面に向いたままであり、最前列に到達した飲料入り容器１の商品名表示部１２も当然に正面に向いている。
【００３２】
このように、この実施例の陳列方法では、各飲料入り容器１，１・・を最初に商品名表示部１２が手前側に向く姿勢で陳列するだけで、以降は（飲料入り容器１が下降傾斜側に移動しても）各商品名表示部１２が常に手前側（正面）に向く姿勢で維持されるので、陳列状態での見栄えが良好となるとともに、商品名表示部を手前側に向けるという姿勢修正作業が不要になる。
【００３３】
尚、この陳列方法で使用される陳列棚２では、各陳列レーン２０，２０・・にそれぞれガイド凸条２３，２３・・を設け、該ガイド凸条２３に容器底部１３の凹状嵌合部１４を嵌合させることで、陳列される各飲料入り容器１，１・・の左右移動を禁止しているので、各陳列レーン２０，２０・・を区画する仕切壁２２を省略する（不要にする）ことができる。又、他の実施例では、各ガイド凸条２３，２３・・を傾斜棚板２１に対して取付け位置を可変にすることができ、その場合は、左右に隣接して陳列される飲料入り容器の外径に応じて各ガイド凸条２３，２３・・の間隔を調整できる。
【図面の簡単な説明】
【００３４】
【図１】本願実施例の陳列方法で使用される飲料入り容器（缶飲料）の下方斜視図である。
【図２】本願実施例の陳列方法で使用される別の飲料入り容器（ペットボトル飲料）の下方斜視図である。
【図３】図１及び図２の各飲料入り容器の陳列状態を示す斜視図である。
【図４】図３の飲料入り容器陳列状態を正面側から見た図である。
【図５】従来の飲料入り容器の陳列状態を示す側面図である。
【図６】図５のVI矢視方向から見た拡大図である。
【図７】図６の飲料入り容器陳列状態を正面側から見た図である。
【符号の説明】
【００３５】
１は飲料入り容器、２は陳列棚、１１は容器外周面、１２は商品名表示部、１２ａは商品名、１３は容器底部、１４は凹状嵌合部、２０は陳列レーン、２１は傾斜棚板、２３はガイド凸条、２４はストッパーである。
【図１】
2006288676.tif 000003
【図２】
2006288676.tif 000004
【図３】
2006288676.tif 000005
【図４】
2006288676.tif 000006
【図５】
2006288676.tif 000007
【図６】
2006288676.tif 000008
【図７】
2006288676.tif 000009